(57)【要約】【課題】原稿読み取り領域より大きいサイズの原稿読み取り動作を行う際の操作性に優れたスキャナー付き記録装置を提供する。【解決手段】プリンター１は、原稿を読み取るスキャナーユニット３と、スキャナーユニット３により読み取った情報を記録する記録部２と、各種情報を表示する表示部５ｂを有するチルトパネル５と、を備えている。表示部５ｂに表示される、少なくともスキャナーユニット３の操作に関する情報は、原稿台３０とチルトパネル５とを結ぶ方向に対し直交する方向（ｘ方向）において、原稿台３０における原稿読み取り領域３０ａの外側に表示される。【選択図】図９
2015061119.tif 000002
【特許請求の範囲】
【請求項１】
原稿台に載置された原稿を読み取るスキャナー部と、
前記スキャナー部により読み取った情報を被記録媒体に対し記録する記録部と、
各種情報を表示する表示部を有するパネルと、を備え、
前記表示部に表示される、少なくとも前記スキャナー部の操作に関する情報は、前記原稿台と前記パネルとを結ぶ方向に対し直交する方向において、前記原稿台における原稿読み取り領域の外側に表示される、
ことを特徴とする記録装置。
【請求項２】
請求項１に記載の記録装置において、前記スキャナー部を制御する制御部は、前記原稿読み取り領域の大きさより大きいサイズの原稿に対し、複数回の原稿読み取り動作を介して得られた画像情報を繋ぎ合わせて原稿全体の画像情報を得る分割読み取りモードを実行可能であり、
前記分割読み取りモードにおける一回の原稿読み取り動作は、前記読み取り基準位置から開始され、
前記全体の画像情報は、一回の原稿読み取り動作によって得られた画像の読み取り終了位置側の所定の画像位置と、次回の原稿読み取り動作によって得られた画像の読み取り開始位置側の所定の画像位置との繋ぎ合わせを順次行うことにより得る、
ことを特徴とする記録装置。
【請求項３】
請求項２に記載の記録装置において、前記制御部は、前記分割読み取りモードを実行する際の原稿の載置方法を案内する情報を前記表示部に表示する、
ことを特徴とする記録装置。
【請求項４】
請求項１から請求項３のいずれか一項に記載の記録装置において、前記パネルが、前記原稿読み取り領域からはみ出した原稿を支持する、
ことを特徴とする記録装置。
【請求項５】
請求項４に記載の記録装置において、前記パネルにおける、原稿を支持する支持面が、略水平面を成す、
ことを特徴とする記録装置。
【請求項６】
請求項４に記載の記録装置において、前記パネルはチルト可能に設けられる、
ことを特徴とする記録装置。
【請求項７】
請求項６に記載の記録装置において、前記パネルは駆動源の動力によりチルト可能に設けられ、
前記駆動源及び前記スキャナー部を制御する制御部は、前記スキャナー部による原稿読み取りに際して前記パネルにおいて原稿を支持する支持面が略水平面を成す様に前記駆動源を制御する、
ことを特徴とする記録装置。
【請求項８】
請求項１から請求項７のいずれか一項に記載の記録装置において、前記原稿読み取り領域と前記チルトパネルとを結ぶ方向に沿って原稿をスライドさせる際に当該原稿のエッジをガイドするガイド部を、前記原稿読み取り領域の外側に有する、
ことを特徴とする記録装置。
【請求項９】
請求項１から請求項８のいずれか一項に記載の記録装置において、前記記録部は、記録可能な最大の被記録媒体サイズが、前記原稿台において原稿を読み取る原稿読み取り領域の大きさより大きい、
ことを特徴とする記録装置。
【発明の詳細な説明】
【技術分野】
【０００１】
本発明は、ファクシミリやプリンター等に代表される記録装置に関し、特にスキャナー機能と記録機能の双方を備えた記録装置に関する。
【背景技術】
【０００２】
ファクシミリやプリンター等に代表される記録装置、その中でも更にインクを吐出することによって被記録媒体に記録を行う記録装置においては、スキャナー機能と記録機能との双方を備えた、複合機などとも呼ばれるものがある。多くの複合機は、インクジェット記録を行う装置本体（記録部）の上部に、例えばフラットベッド型のスキャナー部を有している。
【０００３】
特許文献１に示される複合機もその一例であり、この複合機は、スキャナー部において読み込み可能な最大サイズよりも大きな原稿のコピー操作を行う際、スキャナー部からはみ出して垂れ下がった原稿が、記録部から排出されたシートを覆ってしまい、シートに記録された画像をユーザーが確認することが困難になることを解決すべき技術的課題としている。その為に特許文献１記載の複合機は、スキャナー部における読取可能領域に対し、用紙排出領域をずらしている。
【先行技術文献】
【特許文献】
【０００４】
【特許文献１】特開２０１３−５８９８０号公報
【発明の概要】
【発明が解決しようとする課題】
【０００５】
ところで上記の様な大きな原稿（原稿読み取り領域の大きさよりサイズの大きい原稿）の読み取りを行う場合、読み取り動作を複数行い（分割読み取り）、得られた画像を記録装置内部で（或いは接続された外部コンピューターで）つなぎ合わせることで原稿全体の画像を得る事も行われている。
【０００６】
この様に原稿読み取り領域の大きさよりサイズの大きい原稿を読み取る際、原稿において原稿台からはみ出した部分が、操作部を覆ってしまい、操作性が低下する場合がある。特許文献１記載の複合機は、シートに記録された画像の視認性については考慮されているが、上記の様に原稿が操作部を覆うことに伴う不都合については考慮されていない。
【０００７】
そこで本発明はこの様な状況に鑑みなされたものであり、その目的は、原稿読み取り領域より大きいサイズの原稿読み取り動作を行う際の操作性に優れたスキャナー付き記録装置を提供することにある。
【課題を解決するための手段】
【０００８】
上記課題を解決する為の、本発明の第１の態様に係る記録装置は、原稿台に載置された原稿を読み取るスキャナー部と、前記スキャナー部により読み取った情報を被記録媒体に対し記録する記録部と、各種情報を表示する表示部を有するパネルと、を備え、前記表示部に表示される、少なくとも前記スキャナー部の操作に関する情報は、前記原稿台と前記パネルとを結ぶ方向に対し直交する方向において、前記原稿台における原稿読み取り領域の外側に表示されることを特徴とする。
【０００９】
本態様によれば、前記表示部に表示される、少なくとも前記スキャナー部の操作に関する情報は、前記原稿台と前記パネルとを結ぶ方向に対し直交する方向において、前記原稿読み取り領域の外側に表示されるので、原稿において前記原稿読み取り領域からはみ出した部分が前記スキャナー部の操作に関する情報表示を覆うことがなく、原稿読み取り領域より大きいサイズの原稿読み取り動作を行う際の操作性が向上する。
【００１０】
本発明の第２の態様は、第１の態様において、前記スキャナー部を制御する制御部は、前記原稿読み取り領域の大きさより大きいサイズの原稿に対し、複数回の原稿読み取り動作を介して得られた画像情報を繋ぎ合わせて原稿全体の画像情報を得る分割読み取りモードを実行可能であり、前記分割読み取りモードにおける一回の原稿読み取り動作は、前記読み取り基準位置から開始され、前記全体の画像情報は、一回の原稿読み取り動作によって得られた画像の読み取り終了位置側の所定の画像位置と、次回の原稿読み取り動作によって得られた画像の読み取り開始位置側の所定の画像位置との繋ぎ合わせを順次行うことにより得ることを特徴とする。
【００１１】
本態様によれば、分割読み取りモードにおいて原稿読み取り領域の大きさより大きいサイズの原稿全体の画像情報は、一回の原稿読み取り動作によって得られた画像の読み取り終了位置側の所定の画像位置と、次回の原稿読み取り動作によって得られた画像の読み取り開始位置側の所定の画像位置との繋ぎ合わせを順次行うことにより得る。即ち、原稿を所定の一方向にスライドさせて順次読み取ることができるので、原稿を回転させる必要がなく、原稿読み取り領域より大きいサイズの原稿読み取り動作を行う際の操作性が向上する。
【００１２】
本発明の第３の態様は、第２の態様において、前記制御部は、前記分割読み取りモードを実行する際の原稿の載置方法を案内する情報を前記表示部に表示することを特徴とする。
【００１３】
本態様によれば、情報表示の為の表示部を備え、前記制御部は、前記分割読み取りモードを実行する際の原稿の載置方法を案内する情報を前記表示部に表示するので、ユーザー側からして操作方法が明確になるととともに、原稿を不適切にセットすることを防止することができる。
【００１４】
本発明の第４の態様は、第１から第３の態様のいずれかにおいて、前記パネルが、前記原稿読み取り領域からはみ出した原稿を支持することを特徴とする。  
本態様によれば、前記パネルが、前記原稿読み取り領域からはみ出した原稿を支持するので、原稿台からの原稿の垂れ下がりや滑り落ちを抑制する効果が得られる。
【００１５】
本発明の第５の態様は、第４の態様において、前記パネルにおける、原稿を支持する支持面が、略水平面を成すことを特徴とする。  
本態様によれば、前記パネルにおける、原稿を支持する支持面が、略水平面を成すので、原稿台からの原稿の滑り落ちや垂れ下がりをより効果的に抑制することができる。
【００１６】
本発明の第６の態様は、第４の態様において、前記パネルはチルト可能に設けられることを特徴とする。  
本態様によれば、前記パネルはチルト可能であるので、パネル面を操作性或いは視認性良好な角度にすることができ、ユーザーの操作性が向上する。
【００１７】
本発明の第７の態様は、第６の態様において、前記パネルは駆動源の動力によりチルト可能に設けられ、前記駆動源及び前記スキャナー部を制御する制御部は、前記スキャナー部による原稿読み取りに際して前記パネルにおいて原稿を支持する支持面が略水平面を成す様に前記駆動源を制御することを特徴とする。
【００１８】
本態様によれば、前記スキャナー部による原稿読み取りに際して前記パネルにおいて原稿を支持する支持面が略水平面を成す様に前記駆動源が制御されるので、原稿台からの原稿の滑り落ちや垂れ下がりをより効果的に抑制することができる。
【００１９】
本発明の第８の態様は、第１から第７の態様のいずれかにおいて、前記原稿読み取り領域と前記チルトパネルとを結ぶ方向に沿って原稿をスライドさせる際に当該原稿のエッジをガイドするガイド部を、前記原稿読み取り領域の外側に有することを特徴とする。
【００２０】
本態様によれば、前記原稿読み取り領域と前記隙間とを結ぶ方向に沿って原稿をスライドさせる際に当該原稿のエッジをガイドするガイド部を、前記原稿読み取り領域の外側に有するので、前記原稿読み取り領域より大きいサイズの原稿を分割読み取りする際（スライドさせる際）、原稿のずれや斜行を抑えることができ、良好な読み取り結果が得られる。
【００２１】
本発明の第９の態様は、第１から第８の態様のいずれかにおいて、前記記録部は、記録可能な最大の被記録媒体サイズが、前記原稿台において原稿を読み取る原稿読み取り領域の大きさより大きいことを特徴とする。
【００２２】
本態様によれば、前記記録部は、記録可能な最大の被記録媒体サイズが、前記原稿台において原稿を読み取る原稿読み取り領域の大きさより大きいので、前記原稿読み取り領域より大きいサイズの原稿を読み取った場合に、当該原稿のサイズに近いサイズ或いは同サイズで出力（記録）することができ、利便性が向上する。
【図面の簡単な説明】
【００２３】
【図１】本発明に係るプリンターを前方側から見た外観斜視図。
【図２】本発明に係るプリンターを前方側から見た外観斜視図。
【図３】本発明に係るプリンターを前方側から見た外観斜視図。
【図４】図３の部分拡大図。
【図５】図４において隙間に原稿を通した状態の図。
【図６】本発明に係るプリンターの用紙搬送経路を示す側断面図。
【図７】本発明に係るプリンターの用紙搬送経路を示す側断面図。
【図８】本発明に係るプリンターの用紙搬送経路を示す側断面図。
【図９】スキャナーユニットの平面図。
【図１０】スキャナーユニットの側断面図。
【図１１】本発明に係るプリンターの制御系のブロック図。
【図１２】（Ａ）、（Ｂ）、（Ｃ）は分割読み取りモード実行時の原稿の位置を示す図。
【図１３】分割読み取りモード実行時の読み取り範囲と繋ぎ合わせ位置を占めす図。
【図１４】分割読み取りモード実行時のガイダンス画面の一例を示す図。
【図１５】分割読み取りモード実行時のガイダンス画面の一例を示す図。
【図１６】分割読み取りモード実行時のガイダンス画面の一例を示す図。
【図１７】他の実施形態に係るスキャナーユニットの平面図。
【発明を実施するための形態】
【００２４】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２５】
図１、図２、図３は本発明に係るプリンター１を前方側から見た外観斜視図であり、図１はスキャナーユニット３のカバー４を閉じた状態、図２は手差しカバー６を開くとともにペーパーサポート１５を展開した状態、図３はスキャナーユニット３のカバー４とチルトパネル５を開くとともに排紙受けトレイ８を突出させた状態を示す図である。
【００２６】
また、図４は図３の部分拡大図、図５は図４において隙間３５に原稿を通した状態の図、図６〜図８はプリンター１の用紙搬送経路を示す側断面図である。  
更に、図９はスキャナーユニット３の平面図、図１０はスキャナーユニット３の側断面図、図１１はプリンター１の制御系のブロック図、図１２（Ａ）、図１２（Ｂ）、図１２（Ｃ）は分割読み取りモード実行時の原稿の位置を示す図、図１３は分割読み取りモード実行時の読み取り範囲と繋ぎ合わせ位置を占めす図、図１４〜図１６は分割読み取りモード実行時のガイダンス画面の一例を示す図である。また図１７は他の実施形態に係るスキャナーユニットの平面図である。
【００２７】
尚、各図に示すｘ−ｙ−ｚ直交座標系は、ｘ方向及びｙ方向が水平方向であり、このうちｘ方向は記録部３において用紙幅方向であり、また装置左右方向でもある。またｙ方向は記録部３において用紙搬送方向であり、また装置奥行き方向でもある。更に、ｚ方向は重力方向であり、装置高さ方向でもある。スキャナーユニット２における各方向の定義は、後に説明する。
【００２８】
■■■１．プリンターの全体構成■■■■■■■■■■■■■■■■■■■■■■■■
以下では先ず、本発明の記録装置の一実施形態であるプリンター１の全体構成について概説する。図１〜図３においてプリンター１は、被記録媒体の一例としての記録用紙（以下「用紙Ｐ」）にインクジェット記録を行う記録部（装置本体）２の上部に、スキャナー部としてのスキャナーユニット３を備えており、即ちインクジェット記録機能に加えてスキャナー機能を備える複合機として構成されている。
【００２９】
スキャナーユニット３は、記録部２に対して不図示の回動軸を介して回動可能に設けられており、回動することにより、閉じた状態（図１）と開いた状態（不図示）とをとり得る。スキャナーユニット３を開くと、記録部２の内部が露呈し、不図示のインクカートリッジ交換作業や紙ジャム処理作業等を行うことができる。  
スキャナーユニット３において上部のカバー４は開閉可能なカバーであり、当該カバー４を開放することにより、スキャナーユニット３の原稿台３０が表れる様になっている。
【００３０】
装置前面において符号５は、電源ボタンや各種印刷設定・記録実行を行う操作ボタン等を含む操作部５ａと、印刷設定内容や印刷画像のプレビュー表示、各種ガイダンス表示などを行う表示部５ｂと、備えて成るチルトパネルである。チルトパネル５はチルト可能であり、パネル面がほぼ垂直な状態（図１、図２）と、ほぼ水平な状態（図３）との間でチルト可能に設けられ、且つ、チルト可能な範囲の中の任意の姿勢で角度保持できる様に設けられている。
【００３１】
記録部２の後方上部において符号６は開閉可能な手差しカバーであり、図２に示す様にこの手差しカバー６を開くことにより、手差し供給口６ａを利用した用紙Ｐの手差しでの給紙が行える様になっている。また、手差しカバー６を開くと、ペーパーサポート１５が展開可能となり、手差し供給口６ａから供給される用紙Ｐは、ペーパーサポート１５によって傾斜姿勢で支持される。
【００３２】
続いて以下では、図６〜図８を参照しつつ記録部２の構成、特に用紙搬送経路について更に詳しく説明する。本実施形態に係るプリンター１は、装置底部に下段側トレイ２４及び上段側トレイ２６をそれぞれ着脱可能に備え、当該下段側トレイ２４或いは上段側トレイ２６から記録用紙を１枚ずつ給送する。尚、下段側トレイ２４に収容される用紙は符号Ｐ１で、上段側トレイ２６に収容される用紙は符号Ｐ２で、それぞれ示しており、以下では特に区別する必要がない場合は「用紙Ｐ」と言う。
【００３３】
符号２５は下段側トレイ２４に設けられた開閉可能なカバーであり、カバー２４を開くことにより、下段側トレイ２４及び上段側トレイ２６が装置前面側に露呈し、着脱可能となる。
【００３４】
不図示の駆動モーターによって回転駆動される給送ローラー９は、回動軸１１を中心に揺動するローラー支持部材１０に設けられており、上段側トレイ２６が退避位置（不図示）にあるときは、下段側トレイ２４に収容された用紙Ｐ１の最上位のものと接して回転することにより、当該最上位の用紙Ｐ１を下段側トレイ２４から送り出す。  
また上段側トレイ２６が突き当たり位置（図５〜図７）にあるとき、給送ローラー９は上段側トレイ２６に収容された用紙Ｐ２の最上位のものと接して回転することにより、当該最上位の用紙Ｐ２を上段側トレイ２６から送り出す。
【００３５】
続いて記録部２において下段側トレイ２４及び上段側トレイ２６の先端と対向する位置には分離斜面１２が設けられており、下段側トレイ２４或いは上段側トレイ２６から送り出される用紙Ｐは、その先端が分離斜面１２に接しながら下流側に進むことで、給送されるべき最上位の用紙Ｐと次位以降の用紙Ｐとの分離が行われる。
【００３６】
分離斜面１２の先には、不図示のモーターによって回転駆動される中間ローラー１３が設けられており、この中間ローラー１３によって用紙Ｐは湾曲反転させられ、装置前方側へと向かう。尚、符号１４ａ、１４ｂ、１４ｃ、１４ｄ、は従動回転可能な従動ローラーであり、少なくとも用紙Ｐは、従動ローラー１４ａ、１４ｂと中間ローラー１３とによってニップされて、下流側へと送られる。
【００３７】
尚、従動ローラー１４ｄは、両面印刷の為に搬送駆動ローラー１６から上流側（図６〜図８において左側）にスイッチバックされる用紙Ｐを中間ローラー１３との間でニップする従動ローラーである。
【００３８】
中間ローラー１３の先には、図示しないモーターによって回転駆動される搬送駆動ローラー１６と、該搬送駆動ローラー１６に接して従動回転する搬送従動ローラー１７とが設けられており、これらローラーによって用紙Ｐが、記録手段を構成する記録ヘッド２０の下へと送られる。
【００３９】
続いてインクを吐出する記録ヘッド２０はキャリッジ１９の底部に設けられ、当該キャリッジ１９は図示しないモーターによって主走査方向（ｘ方向：図６〜図８において紙面表裏方向）に往復動する様に駆動される。
【００４０】
記録ヘッド２０と対向する位置には支持部材１８が設けられ、当該支持部材１８によって、用紙Ｐと記録ヘッド２０との間の間隔が規定される。そして支持部材１８の下流側には、図示しないモーターによって回転駆動される排出駆動ローラー２１と、当該排出駆動ローラー２１に接して従動回転する排出従動ローラー２２とが設けられている。記録ヘッド２０によって記録の行われた用紙Ｐは、これらローラーにより、排紙受けトレイ８へ向けて排出される。
【００４１】
上段側トレイ２６の上部に位置する排紙受けトレイ８は、図示しないモーターによって記録部２に収納された状態（図１、図２）と、記録部２の前方側に突出した状態（図３及び図６〜図８）と、を取りうる様に設けられており、記録部２の前方側に突出した状態となることで、記録が行われて排出される用紙Ｐを受けることができる。
【００４２】
以上が用紙搬送経路上の主な構成要素であるが、用紙搬送経路は上述した下段側トレイ２４或いは上段側トレイ２６から送り出された用紙Ｐが搬送される用紙搬送経路（図６において破線Ｒ１）のほか、第１面（おもて面）に記録が行われた用紙Ｐを反転させる反転搬送路（図７において破線Ｒ２）と、手差し案内部７を介して手差し供給される手差し供給路（図８において破線Ｒ３）と、を有している。
【００４３】
反転搬送路Ｒ２は、搬送駆動ローラー１６を逆転駆動し、記録時に用紙後端だった側を先端にして中間ローラー１３と従動ローラー１４ｄとの間に向けて搬送し、そして中間ローラー１３により反転させ、再び搬送駆動ローラー１６と搬送従動ローラー１７との間に送る際の搬送路である。
【００４４】
手差し供給路Ｒ３は、後方上部の手差しカバー６を開放することにより表れる手差し案内面部７と、この手差し案内部７を介して手差し供給される用紙Ｐを支持するペーパーサポート１５と、のこれらにより形成される供給路である。
【００４５】
本実施形態では、用紙搬送経路Ｒ１及び反転搬送路Ｒ２を搬送可能な用紙の幅は、Ａ４サイズ用紙の長手方向を搬送方向として当該Ａ４サイズ用紙の横幅（搬送方向と直交する方向の幅）を最大サイズとする。また、手差し供給路Ｒ３を搬送可能な用紙の幅は、Ａ３サイズ用紙の長手方向を搬送方向として当該Ａ３サイズ用紙の横幅（搬送方向と直交する方向の幅）を最大サイズとする。  
尚、排紙受けトレイ８は、上記Ａ４サイズ用紙の横幅に合わせて形成されている。即ち、排紙受けトレイ８の幅は、手差し給紙口６ａの幅よりも小さい。
【００４６】
■■■２．スキャナーユニット３の構成■■■■■■■■■■■■■■■■■■■■■
続いて、スキャナーユニット３の構成について詳説する。スキャナーユニット３は、原稿台３０と、カバー４とを備えている。カバー４は、スキャナーユニット３の−ｙ方向側の端部にヒンジ２９、２９を介して回動可能に連結されている。このため本実施例では、カバー４は、閉じた状態における＋ｙ方向側の端部を自由端とし、−ｙ方向側の端部を基端として回動することにより、原稿台３０（原稿読み取り領域３０ａ）を開閉する。
【００４７】
原稿台３０の上面は、原稿を載置する載置面を形成し、この原稿台３０は透明なガラス板により形成されている。原稿台３０の上面周囲には枠状のフレーム３１が設けられており、このフレーム３１により画設された矩形領域が、原稿読み取り領域（以下符号３０ａで示す）として形成されている。原稿読み取り領域３０ａは、枠体としてのフレーム３１の上面よりも一段低くなっている（図９等参照）。
【００４８】
本実施形態において原稿読み取り領域３０ａは後述する読み取りユニット３２によって読み取りが可能な領域であるが、原稿台３０の大きさ（フレーム３１により囲われた領域）と原稿読み取り領域３０ａの大きさは、本実施形態ではほぼ等しい。  
そして本実施形態において原稿読み取り領域３０ａは、装置幅方向（ｘ方向）において、プリンター１の中央部に位置している。
【００４９】
尚、カバー４において原稿読み取り領域３０ａと対向する側には、弾性材（例えばスポンジ）により形成された原稿押さえマット４ｂが設けられている。このため原稿読み取り領域３０ａに載置された原稿は、カバー４に設けられた原稿押さえマット４ｂにより押圧され、その被読み取り面が原稿台３０に密着する。従って原稿押さえマット４ｂは、原稿読み取り領域３０ａの大きさと略同じ大きさに形成されている。
【００５０】
ここで本実施形態では、原稿読み取り領域３０ａに対し、カバー４のヒンジ２９が設けられた側（ｙ−側）が装置背面側であり、原稿読み取り領域３０ａを挟んでカバー４のヒンジ２９が設けられた側とは反対側（ｙ＋側）が装置前面側である。  
そして図９に示す様に原稿読み取り領域３０ａにおいて装置前面側の角部に、読み取り基準位置Ｓが設定されている。より具体的には、装置前面側から見て手前右側の角部に、読み取り基準位置Ｓが設定されている。
【００５１】
この読み取り基準位置Ｓは、原稿の角部を合わせる位置であり、スキャナーユニット３はこの読み取り基準位置Ｓを原稿の角部と認識して読み取りを行う。読み取り基準位置Ｓの近傍には、矢印状の基準位置マーク３３が設けられており、ユーザーはこの基準位置マーク３３によって、装置前面側から見て手前右の角部が読み取り基準位置であることを認識できる。
【００５２】
続いて、本実施形態においてスキャナーユニット３はフラットベッド型のスキャナーであり、図９に示す様に原稿読み取り領域３０ａに対して移動可能な読み取りユニット３２が原稿台３０の下側に設けられている。読み取りユニット３２は、本実施形態ではｘ方向に沿って移動する様に設けられている。
【００５３】
読み取りユニット３２は、原稿台３０に載置された原稿に光を照射し、該原稿からの反射光を受光して原稿の情報を読み取る光学ユニットとして構成され、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学ユニットとして構成される。
【００５４】
ここで、スキャナーユニット３と記録部２は、制御部２７（図１１）によって制御される。また制御部２７は、チルトパネル５の操作部５ａから各種操作信号を受信し、また表示部５ｂに対し信号を送出して表示部５ｂに各種表示を行う。更に制御部２７は、プリンター１に接続された外部コンピューター（ＰＣ）１００で動作する「スキャナー制御プログラム」としてのプリンタドライバ１０１との間で信号を送受信する。外部ＰＣ１００は、プリンター１に接続される場合もあれば、接続されない場合もある。
【００５５】
スキャナーユニット３によって読み取られた画像情報は、制御部２７において処理され、そして処理した情報に基づき、制御部２７が記録部２を制御してインクジェット記録を行う。或いは、外部ＰＣ１００が接続されていれば、スキャナーユニット３によって読み取られた画像情報は、プリンタドライバ１０１において処理され、そして処理した情報を制御部２７が受け取る。制御部２７がプリンタドライバ１０１から受け取った情報に基づき、記録部２を制御してインクジェット記録を行う。  
尚、後述する分割読み取りモードも同様に、制御部２７で動作するソフトウェアが実行するか、或いは、外部ＰＣ１００で動作するプリンタドライバ１０１が実行する。
【００５６】
ここで、本実施形態に係るプリンター１は、記録部２において記録可能な最大の用紙サイズ（例えば、Ａ３サイズ）が、原稿読み取り領域３０ａの大きさ（例えば、Ａ４サイズ）より大きく設定されている。以下では、原稿読み取り領域３０ａの大きさよりサイズの大きい原稿を原稿ＭＳと称し、図示するものとする。制御部２７は、後述する分割読み取りモード（複数回の原稿読み取り動作）によって原稿ＭＳの全体を読み込み、読み込んだ画像情報を繋ぎあわせて原稿ＭＳ全体の画像情報を生成する。
【００５７】
そして得られた原稿ＭＳ全体の画像情報に基づき、場合により、原稿読み取り領域３０ａの大きさより大きいサイズの記録用紙に対しインクジェット記録を行う。一例として、原稿ＭＳがＡ３サイズであれば、当該原稿ＭＳを分割読み取りし、読み込んだ画像情報を繋ぎあわせて原稿ＭＳ全体の画像情報を生成し、そしてＡ３サイズの記録用紙に対し等倍でインクジェット記録を行う。
【００５８】
次に、図４から明かな様に、原稿読み取り領域３０ａとカバー４とを結ぶ方向（ｙ方向）と直交する方向である装置幅方向（ｘ方向）において、カバー４の回動軸を形成するヒンジ２９、２９は、原稿読み取り領域３０ａの両側であって且つ外側に設けられている。そしてカバー４の基端側には、ヒンジ２９、２９の間に切り欠き４ａが形成されている。
【００５９】
切り欠き４ａは、回動に際して閉じた状態の「開閉体」としての手差しカバー６を避ける機能を有するとともに、更に閉じた状態の手差しカバー６との間に隙間３５を形成する機能を果たす。隙間３５の詳細については後述するが、この様に手差しカバー６を避ける切り欠き４ａが隙間３５をも形成することで、隙間３５を低コストに構成することができる。
【００６０】
次に、隙間３５は、カバー４を開いた状態と閉じた状態の双方において形成され、これにより図５、図１０に示す様に原稿読み取り領域３０ａからはみ出した、原稿読み取り領域３０ａの大きさより大きいサイズの原稿ＭＳを、隙間３５を介してスキャナーユニット３の外側に通すことができる。図１０において符号ＭＴは、原稿ＭＳにおいてスキャナーユニット３の外側に通された部分を示している。従って原稿読み取り領域３０ａより大きいサイズの原稿ＭＳを読み取る際に、当該原稿ＭＳを折り曲げたり、分割読み取りの際に原稿ＭＳを回転させたりなどの煩雑な操作を回避でき、操作性が良好となる。
【００６１】
また本実施形態において隙間３５は、カバー４を開いた状態と閉じた状態の双方において形成されるので、読み取り時にカバー４を閉じることで外部からの光の入り込みを抑制して良好な読み取り結果を得ることができる。但し、これに限られずカバー４が開いた状態においてのみ隙間３５が形成される構成であっても良い。
【００６２】
また本実施形態において隙間３５は、図４及び図９から明かな様にｘ方向において原稿読み取り領域３０ａの全域を含む様に形成されている。従ってより多くのサイズの原稿について、原稿読み取り領域３０ａからはみ出した部分をスキャナーユニット３の外側に通すことができる。但し、これに限られず隙間３５が原稿読み取り領域３０ａの少なくとも一部を含む様に形成され、少なくとも一つのサイズの原稿について原稿読み取り領域３０ａからはみ出した部分をスキャナーユニット３の外側に通すことができれば良い。  
尚、図９では、図示の便宜上隙間３５を破線で示している。
【００６３】
また、本実施形態では隙間３５はヒンジ２９、２９の間に形成されているが、必ずしもこれに限られず、例えばヒンジ２９がｘ方向において原稿読み取り領域３０ａの範囲内に形成されていても良い。即ち、カバー４、或いは、スキャナーユニット２の本体とカバー４との間に、原稿を通す隙間３５が形成されていれば良い。
【００６４】
また本実施形態においては手差しカバー６が、原稿読み取り領域３０ａからはみ出した原稿ＭＳを支持する様になっている。特に本実施形態では、手差しカバー６が原稿ＭＳを支持する支持位置（閉じた状態の手差しカバー６の上面）は、原稿台３０より高い（図１０）。従って原稿ＭＳをより高い位置で支持することができ、原稿台３０からの原稿の滑り落ちや垂れ下がりを抑制することができる。但しこれに限られず、手差しカバー６が原稿ＭＳを支持しない構成であっても良い。
【００６５】
加えて本実施形態では、スキャナーユニット３及び記録部２の操作部を構成するチルトパネル５が、原稿読み取り領域３０ａからはみ出した原稿ＭＳを支持する（図１０、図１２（Ｂ）、図１２（Ｃ））。従って原稿台３０からの原稿ＭＳの垂れ下がりや滑り落ちをより効果的に抑制する効果が得られる。尚、チルトパネル５はチルト可能でなく所定の角度で固定された構成であっても、その様なパネルが原稿ＭＳを支持できる構成であっても良い。或いは、チルトパネル５が原稿ＭＳを支持しない構成であっても構わない。
【００６６】
また本実施形態では、チルトパネル５が原稿ＭＳを支持する支持位置は、原稿台３０より高い（図１０）。これにより、原稿台３０からの原稿ＭＳの滑り落ちや垂れ下がりをより確実に抑制することができる。
【００６７】
尚、チルトパネル５はチルト可能に構成されており、最も開いた状態では、その上面（図１０において符号５ｃ）が、略水平面を成す様に構成されている。即ち、原稿ＭＳを支持する支持面が、略水平面を成すことができる。これにより、原稿台３０からの原稿ＭＳの滑り落ちや垂れ下がりをより効果的に抑制することができる。  
但し、チルトパネル５のパネル面が水平面を形成しない構成であっても、即ち最大開き角においてパネル面が或る程度の下がり傾斜面となる様な構成であっても、原稿ＭＳを支持できる構成であれば良い。
【００６８】
また本実施形態では、原稿読み取り領域３０ａとカバー４とを結ぶ方向（ｙ方向）と直交する方向である装置幅方向（ｘ方向）において、チルトパネル５は、原稿読み取り領域３０ａの全域を含む幅に形成されている。従って原稿読み取り領域３０ａからはみ出した原稿ＭＳは、幅方向全体がチルトパネル５によって支持され、原稿台３０からの原稿ＭＳの滑り落ちや垂れ下がりがより効果的に抑制される。  
但しこれに限られず、チルトパネル５が、原稿読み取り領域３０ａの少なくとも一部を含む幅に形成されていても良い。
【００６９】
そして本実施形態では、図９に示す様に、チルトパネル５に設けられた表示部５ｂが、原稿台３０とチルトパネル５とを結ぶ方向（ｙ方向）に対し直交する方向（ｘ方向）において、原稿読み取り領域３０ａの外側に設けられている。図９において領域Ａ１は、ｘ方向における、原稿読み取り領域３０ａの占有領域である。即ちスキャナーユニット３の操作に関する情報は、原稿読み取り領域３０ａからはみ出した原稿ＭＳの外側に表示されることとなる（図１２（Ｂ）、図１２（Ｃ）参照）。
【００７０】
これにより、原稿ＭＳにおいて原稿読み取り領域３０ａからｙ方向にはみ出した部分がスキャナーユニット３の操作に関する情報表示を覆うことがなく、原稿読み取り領域３０ａより大きいサイズの原稿読み取り動作を行う際の操作性が向上する。尚、スキャナーユニット３の操作に関する情報の一例であるガイダンス情報については、後に説明する。
【００７１】
尚、本実施形態では表示部５ｂの全域が、ｘ方向において原稿読み取り領域３０ａの外側に設けられているが、これに限られず、表示部５ｂがｘ方向において原稿読み取り領域３０ａの領域に差し掛かっていても、少なくともスキャナーユニット３の操作に関する情報が原稿読み取り領域３０ａの外側に表示されれば、即ち原稿ＭＳによって隠れない位置に表示されれば良い。
【００７２】
また、本実施形態では表示部５ｂのみならず、操作部５ａについてもｘ方向において原稿読み取り領域３０ａの外側に設けられている。従ってこれにより、視認性のみならず操作性の向上も図られている。尚、本実施形態では操作部５ａの全域が、ｘ方向において原稿読み取り領域３０ａの外側に設けられているが、これに操作部５ａがｘ方向において原稿読み取り領域３０ａの領域に差し掛かっていても、少なくともスキャナーユニット３の操作に関するボタン類が原稿読み取り領域３０ａの外側にあれば、即ち原稿ＭＳによって隠れない位置にあれば良い。
【００７３】
尚、他の実施形態として、図１１において符号３７で示す駆動源３７を用いることもできる。駆動源３７はチルトパネル５をチルトさせる駆動源（例えば、モーター）であり、制御部２７の制御のもと、チルトパネル５を所定の傾斜角（姿勢）に設定する。そして制御部２７は、スキャナーユニット３による原稿読み取りに際し、チルトパネル５において原稿を支持する支持面５ｃが略水平面を成す様に制御する。これにより、ユーザー操作によることなく、原稿台３０からの原稿の滑り落ちや垂れ下がりをより効果的に抑制することができる。但し、チルトパネル５が駆動源によって駆動されず、ユーザー操作によってチルトする構成であっても良い。或いは、開き方向のみ駆動源によって駆動され、閉じる方向はユーザー操作による構成であっても良い。
【００７４】
■■■３．分割読み取りモード■■■■■■■■■■■■■■■■■■■■■■■■■
続いて、分割読み取りモードについて詳説する。既に概説した様に制御部２７は、分割読み取りモード（複数回の原稿読み取り動作）によって原稿読み取り領域３０ａよりサイズの大きい原稿ＭＳの全体を読み込み、読み込んだ画像情報を繋ぎあわせて原稿ＭＳ全体の画像情報を生成する。そして得られた原稿ＭＳ全体の画像情報に基づき、場合により、原稿読み取り領域３０ａの大きさより大きいサイズの記録用紙に対しインクジェット記録を行う。
【００７５】
図１２〜図１６は、一例としてＡ３サイズの原稿ＭＳを分割読み取りし、読み込んだ画像情報を繋ぎあわせて原稿ＭＳ全体の画像情報を生成し、そしてＡ３サイズの記録用紙に対し等倍でインクジェット記録を行う例を示している。
【００７６】
先ず、原稿読み取り領域３０ａにおける読み取り基準位置Ｓは、本実施形態においてカバー４の回動軸を構成するヒンジ２９から遠い側の角部に設けられている（図３、図９）。従って分割読み取りモードを実行する際に、原稿ＭＳをヒンジ２９から遠ざける方向にスライドさせる（図１２（Ａ）、（Ｂ）、（Ｃ）の順）。これにより、原稿ＭＳをスライドさせる際の作業性が向上する。
【００７７】
より具体的には、Ａ４サイズの原稿読み取り領域３０ａによる、Ａ３サイズの原稿ＭＳの分割読み取りは計３回の読み取り動作により行われ、第１回目の読み取り動作に際して原稿ＭＳは、図１２（Ａ）に示す様に原稿ＭＳの角部（読み取り面を表にした場合、原稿右上の角部（図１３において符号Ｔ）となる）を読み取り基準位置Ｓに合わせる。このとき原稿ＭＳは、上述した様に原稿読み取り領域３０ａからはみ出した部分が隙間３５を介してスキャナーユニット３の外側に出た状態となっている。
【００７８】
この第１回目の読み取り動作に先立ち、ユーザーが分割読み取りモードを選択した際に制御部２７は、原稿ＭＳの載置方法を案内する情報（ガイダンス）を例えば表示部５ｂに表示する。図１４はそのガイダンス情報の一例であり、図１２（Ａ）に対応している。これによりユーザー側からして操作方法が明確になるととともに、原稿ＭＳが不適切にセットされることを防止できる。
【００７９】
原稿ＭＳをセットし、ユーザーによりスキャンボタンが押下されると、制御部２７は第１回目の読み取り動作を行う。この分割読み取りモードにおける一回の原稿読み取り動作は、読み取り基準位置Ｓ側から開始される。尚、ここでのスキャンボタンとは、プリンター１がスタンドアロンで使用される際には操作部５ａに割り当てられた一の操作ボタン、或いは表示部５ｂに表示されたタッチパネルボタン（ＧＵＩ）である。或いは、プリンター１に外部ＰＣ１００（図１１）が接続された場合は、プリンタドライバ１０１によってディスプレイ上に表示されたボタン（ＧＵＩ）である。  
図１３において領域ＳＣ１は、１回目の読み取り動作によって読み取られる領域を示している。
【００８０】
この１回目の読み取り動作が終わると、制御部２７は原稿ＭＳの２回目の載置方法を案内する情報（ガイダンス）を表示部５ｂに表示する。図１５はそのガイダンス情報の一例であり、図１２（Ｂ）に対応している。具体的には、ユーザーは原稿ＭＳを装置手前側（図１２において下側）に所定量スライドさせる。そしてユーザーによりスキャンボタンが押下されると、制御部２７は第２回目の読み取り動作を行う。  
図１３において領域ＳＣ２は、２回目の読み取り動作によって読み取られる領域を示している。
【００８１】
この２回目の読み取り動作が終わると、制御部２７は原稿ＭＳの３回目の載置方法を案内する情報（ガイダンス）を表示部５ｂに表示する。図１６はそのガイダンス情報の一例であり、図１２（Ｃ）に対応している。具体的には、ユーザーは原稿ＭＳを装置手前側（図１２において下側）に所定量スライドさせる。そしてユーザーによりスキャンボタンが押下されると、制御部２７は第３回目の読み取り動作を行う。  
図１３において領域ＳＣ３は、３回目の読み取り動作によって読み取られる領域を示している。
【００８２】
制御部２７は、以上によって得られた各画像（上記実施例では３つの画像）を繋ぎ合わせて原稿ＭＳ全体の画像情報を得る際、画像の繋ぎ合わせ方向（ｙ方向：図１３においては上下方向）において一回の原稿読み取り動作によって得られた画像の読み取り終了位置側の所定の画像位置と、次回の原稿読み取り動作によって得られた画像の読み取り開始位置側の所定の画像位置との繋ぎ合わせを順次行うことにより得る。
【００８３】
例えば、図１３の位置ＳＴ１は、画像の繋ぎ合わせ方向において１回目の原稿読み取り動作（ＳＣ１）によって得られた画像の読み取り終了位置側の所定の画像位置と、２回目の原稿読み取り動作（ＳＣ２）によって得られた画像の読み取り開始位置側の所定の画像位置との繋ぎ合わせ位置である。同様に図１３の位置ＳＴ２は、２回目の原稿読み取り動作（ＳＣ２）によって得られた画像の読み取り終了位置側の所定の画像位置と、３回目の原稿読み取り動作（ＳＣ３）によって得られた画像の読み取り開始位置側の所定の画像位置との繋ぎ合わせ位置である。尚、図１３の矢印Ｅは分割読み取り時の原稿ＭＳのスライド方向を示している。
【００８４】
即ち、原稿ＭＳを所定の一方向にスライドさせて順次読み取ることができるので、原稿ＭＳを回転させる必要がなく、原稿読み取り領域３０ａより大きいサイズの原稿読み取り動作を行う際の操作性が向上する。
【００８５】
そして例えば、制御部２７は、上記分割読み取りモードによって得られた原稿ＭＳ全体の画像の大きさが、記録部２において記録が可能な最大サイズの用紙と略同サイズの場合に、前記得られた原稿ＭＳ全体の画像情報を、拡大縮小することなく前記最大サイズの用紙に対し記録を行う記録モードを実行可能である。例えば、上記例では原稿ＭＳ全体の画像の大きさがＡ３サイズであり、そして記録部２によって拡大縮小することなくＡ３サイズの用紙に対して記録が可能である。即ちもとの原稿と同サイズでのコピーを行うことができ、利便性が向上する。
【００８６】
以上説明した実施例は、原稿ＭＳがＡ３サイズであり、読み取った原稿全体の情報を記録部２においてＡ３サイズ用紙に等倍に記録する例を説明したが、原稿サイズ、分割読み取りモード実行時の分割数（全スキャン回数）、記録を行う際の記録用紙のサイズ、記録時の出力倍率（拡大縮小率）は種々の組み合わせがあり、本発明が以上説明した実施例に限定されないことは言うまでもない。
【００８７】
尚、以上説明した画像の繋ぎ合わせは、プリンター１が備える制御部２７が行うものとして説明したが、プリンター１に外部ＰＣ１００（図１１）が接続されている場合には、外部ＰＣ１００で動作するプリンタドライバ１０１によって行われる。また同様に、図１４〜図１６に示されるガイダンス表示は、外部ＰＣ１００におけるディスプレイ（不図示）に表示される。
【００８８】
また、以上説明した実施例は、読み取り基準位置Ｓが原稿読み取り領域３０ａにおいて装置手前側にある構成であり、分割読み取り時に原稿ＭＳを装置手前側にスライドさせる例を説明したが、これに限られず、例えば読み取り基準位置Ｓが原稿読み取り領域３０ａにおいて装置奥方にあって、分割読み取り時に原稿ＭＳを装置奥方にスライドさせる様にしても構わない。
【００８９】
尚、スキャナーユニット２の他の実施形態として図１７に示す様なガイド３９を設けることも好適である。図１７においてガイド３９は、原稿読み取り領域３０ａの周囲を形成するフレーム３１の上面から高さ方向に突出する様に、フレーム３１に一体的に形成されており、ｙ方向すなわち原稿ＭＳのスライド方向に沿って延びる様に形成されている。図１７の例では、ガイド３９は、原稿読み取り領域３０ａの外側であって、ｙ方向においては原稿読み取り領域３０ａの両側に設けられている。
【００９０】
ガイド３９は、原稿ＭＳをスライドさせる際に当該原稿ＭＳのエッジ（図１７において右側のエッジ）をガイドする機能を発揮し、これにより原稿読み取り領域３０ａより大きいサイズの原稿ＭＳを分割読み取りする際（スライドさせる際）、当該原稿ＭＳのずれや斜行を抑えることができ、良好な読み取り結果が得られる。
【符号の説明】
【００９１】
１  インクジェットプリンター、２  記録部（装置本体）、３  スキャナーユニット、４  カバー、４ａ  切り欠き部、４ｂ  原稿押さえマット、５  チルトパネル、５ａ  操作部、５ｂ  表示部、５ｃ  支持面、６  手差しカバー、６ａ  手差し給紙口、７  手差し案内部、８  排紙受けトレイ、９  給送ローラー、１０  ローラー支持部材、１１  回動軸、１２  分離斜面、１３  中間ローラー、１４ａ〜１４ｄ  従動ローラー、１５  ペーパーサポート、１６  搬送駆動ローラー、１７  搬送従動ローラー、１８  支持部材、１９  キャリッジ、２０  記録ヘッド、２１  排出駆動ローラー、２２  排出従動ローラー、２４  下段側トレイ、２５  カバー、２６  上段側トレイ、２７  制御部、２９  ヒンジ、３０  原稿台、３０ａ  原稿読み取り領域、３１  フレーム、３２  読み取りユニット、３３  基準位置マーク、３５  隙間、３７  駆動源、３９  ガイド、１００  外部ＰＣ、１０１  プリンタドライバ、Ｐ、Ｐ１、Ｐ２  記録用紙、Ｓ  読み取り基準位置
【図１】
2015061119.tif 000003
【図２】
2015061119.tif 000004
【図３】
2015061119.tif 000005
【図４】
2015061119.tif 000006
【図５】
2015061119.tif 000007
【図６】
2015061119.tif 000008
【図７】
2015061119.tif 000009
【図８】
2015061119.tif 000010
【図９】
2015061119.tif 000011
【図１０】
2015061119.tif 000012
【図１１】
2015061119.tif 000013
【図１２】
2015061119.tif 000014
【図１３】
2015061119.tif 000015
【図１４】
2015061119.tif 000016
【図１５】
2015061119.tif 000017
【図１６】
2015061119.tif 000018
【図１７】
2015061119.tif 000019